(57)【要約】【課題】  快適性と省エネ性を両立する空気調和装置を得る。【解決手段】  外気、還気その他の空調用空気を被空調空間（Ｓ）の空調に適した空気状態に調整して被空調空間（Ｓ）に供給する空調機（１）と、空調機（１）の運転を制御する空調機制御装置（２）と、を備えている。空調機（１）が、外気が通る外気路（８）と、還気が通る還気路（９）と、外気に熱交換媒体の熱を授受させる外気側熱交換器（１０）と、還気に熱交換媒体の熱を授受させる還気側熱交換器（１１）と、外気を水の気化蒸発で加湿する外気側気化式加湿器（１２）と、還気を水の気化蒸発で加湿する還気側気化式加湿器（１３）と、を備えている。空調機制御装置（２）が、空調用空気に熱交換媒体の熱を授受させずに外気側気化式加湿器（１２）と還気側気化式加湿器（１３）の一方又は両方を稼働させて空調用空気を気化冷却する第１気化冷却部（３１）を、備えている。【選択図】図２
2019132563.tif 000002
【特許請求の範囲】
【請求項１】
外気、還気その他の空調用空気を被空調空間（Ｓ）の空調に適した空気状態に調整して前記被空調空間（Ｓ）に供給する空調機（１）と、前記空調機（１）の運転を制御する空調機制御装置（２）と、を備え、
前記空調機（１）が、前記空調用空気の前記外気が通る外気路（８）と、前記空調用空気の前記還気が通る還気路（９）と、前記外気路（８）の前記外気に熱交換媒体の熱を授受させる外気側熱交換器（１０）と、前記還気路（９）の前記還気に前記熱交換媒体の熱を授受させる還気側熱交換器（１１）と、前記外気路（８）の前記外気を水の気化蒸発で加湿する外気側気化式加湿器（１２）と、前記還気路（９）の前記還気を水の気化蒸発で加湿する還気側気化式加湿器（１３）と、を備え、
前記空調機制御装置（２）が、前記空調用空気に前記熱交換媒体の熱を授受させずに前記外気側気化式加湿器（１２）と前記還気側気化式加湿器（１３）の一方又は両方を稼働させて前記空調用空気を気化冷却する第１気化冷却部（３１）を、備えたことを特徴とする空気調和装置。
【請求項２】
外気路（８）の外気風量と還気路（９）の還気風量を調整する風量調整装置（１９）を、備え、
前記空調機制御装置（２）が、前記外気路（８）の外気と前記還気路（９）の還気との混合空気の空気状態が被空調空間（Ｓ）の空調に適した空気状態となるように外気側気化式加湿器（１２）と還気側気化式加湿器（１３）の一方又は両方を稼働させて空調用空気を気化冷却しかつ前記風量調整装置（１９）を稼働させて前記外気路（８）の前記外気風量と前記還気路（９）の前記還気風量を調整する第１気化冷却部（３１）を、備えた請求項１に記載の空気調和装置。
【請求項３】
外気、還気その他の空調用空気を被空調空間（Ｓ）の空調に適した空気状態に調整して前記被空調空間（Ｓ）に供給する空調機（１）と、前記空調機（１）の運転を制御する空調機制御装置（２）と、を備え、
前記空調機（１）が、前記空調用空気の前記外気が通る外気路（８）と、前記空調用空気の前記還気が通る還気路（９）と、前記外気路（８）の前記外気に熱交換媒体の熱を授受させる外気側熱交換器（１０）と、前記還気路（９）の前記還気に前記熱交換媒体の熱を授受させる還気側熱交換器（１１）と、前記外気路（８）と前記還気路（９）の前記空調用空気のうち少なくとも前記外気を蒸気で加湿する蒸気加湿器（４０）と、前記還気路（９）の前記還気を水の気化蒸発で加湿する還気側気化式加湿器（１３）と、を備え、
前記空調機制御装置（２）が、前記空調用空気に前記熱交換媒体の熱を授受させずに前記蒸気加湿器（４０）を稼働させて前記空調用空気を加熱する加湿暖房部（４１）と、前記空調用空気に前記熱交換媒体の熱を授受させずに前記還気側気化式加湿器（１３）を稼働させて前記還気を気化冷却する第２気化冷却部（４２）と、を備えたことを特徴とする空気調和装置。
【請求項４】
水、水溶液その他の熱交換媒体を溜める蓄熱槽（３）と、前記熱交換媒体の温度調整をすると共に前記熱交換媒体を空調機の冷房運転に適した温度域と前記空調機の暖房運転に適した温度域とに切換える熱源機（４）と、前記熱交換媒体を前記熱源機（４）と前記空調機（１）との間で循環させる循環機器（５）と、を備えた請求項１から３のいずれかに記載の空気調和装置。
【発明の詳細な説明】
【技術分野】
【０００１】
本発明は空気調和装置に関するものである。
【背景技術】
【０００２】
特許文献１に示す空調機は、２つの熱交換器で空調用空気の外気と還気を別々に熱交換した後で混合させ、被空調空間に供給して冷房又は暖房する構成となっている。この空調機は、室内温度よりも外気温度が低い中間期などに、熱交換器で空調用空気を熱交換せず、外気を室内に導入して顕熱冷却エネルギーで外気冷房することができる。
【先行技術文献】
【特許文献】
【０００３】
【特許文献１】特開２００９−１６２４１１号公報
【発明の概要】
【発明が解決しようとする課題】
【０００４】
ところが、外気の顕熱冷却のみでは、冷房能力に限界があり省エネ性が劣る問題や、温度は調整できても湿度が成り行きとなり快適性が劣る問題あった。
【課題を解決するための手段】
【０００５】
本発明は上記課題を解決するため、外気、還気その他の空調用空気を被空調空間の空調に適した空気状態に調整して前記被空調空間に供給する空調機と、前記空調機の運転を制御する空調機制御装置と、を備え、前記空調機が、前記空調用空気の前記外気が通る外気路と、前記空調用空気の前記還気が通る還気路と、前記外気路の前記外気に熱交換媒体の熱を授受させる外気側熱交換器と、前記還気路の前記還気に前記熱交換媒体の熱を授受させる還気側熱交換器と、前記外気路の前記外気を水の気化蒸発で加湿する外気側気化式加湿器と、前記還気路の前記還気を水の気化蒸発で加湿する還気側気化式加湿器と、を備え、前記空調機制御装置が、前記空調用空気に前記熱交換媒体の熱を授受させずに前記外気側気化式加湿器と前記還気側気化式加湿器の一方又は両方を稼働させて前記空調用空気を気化冷却する第１気化冷却部を、備えたことを最も主要な特徴とする。
【発明の効果】
【０００６】
請求項１の発明によれば、空調機を暖房運転する中間期や冬期でも、日射や発熱量の大きな機器の使用により空調機の冷房運転が必要な場合に、空調機で、空調用空気に熱交換媒体の熱を授受させずに、外気側気化式加湿器と還気側気化式加湿器の一方又は両方を稼働させて空調用空気を気化冷却できるので、冷房能力が大きく省エネ性に優れる。特に、冬期などは外気よりも温度が高い還気で還気側気化式加湿器の水を気化蒸発させるので、気化冷却が促進され冷房能力と加湿能力が向上する。
【０００７】
請求項２の発明によれば、空調機で、空調用空気に熱交換媒体の熱を授受させずに、外気と還気の一方又は両方を気化冷却して混合風量を調整するだけで、外気路の外気と還気路の還気との混合空気の空気状態を、被空調空間の空調に適した空気状態、即ち混合空気の温度と湿度の両方を制御でき快適性に優れる。
【０００８】
請求項３の発明によれば、空調機を暖房運転する中間期や冬期でも、日射や発熱量の大きな機器の使用により空調機の冷房運転が必要な場合に、空調機で、空調用空気に熱交換媒体の熱を授受させずに、還気側気化式加湿器を稼働させて空調用空気を気化冷却できるので、冷房能力が大きくて省エネ性に優れる。特に、冬期などは外気よりも温度が高い還気で還気側気化式加湿器の水を気化蒸発させるので、気化冷却が促進され冷房能力と加湿能力が向上する。
中間期や低負荷時に、空調機で、空調用空気に熱交換媒体の熱を授受させずに、空調用空気を蒸気加湿器で加熱する暖房運転と、空調用空気を気化式加湿器で気化冷却する冷房運転と、を自由に選択して切換でき、省エネルギーと快適性の向上を図れる。
【０００９】
請求項４の発明によれば、空調機を暖房運転する中間期や冬期でも、気化冷却による冷房運転を選択して切換えできるので、蓄熱槽の熱交換媒体を冷房に適した温度域と暖房に適した温度域とに頻繁に切換える必要がない。そのため、エネルギーロスが少なく省エネルギーとなる。
【図面の簡単な説明】
【００１０】
【図１】本発明の空気調和装置を示す簡略説明図である。
【図２】本発明の空気調和機を示す簡略説明図である。（実施例１）
【図３】熱交換器の簡略説明図である。
【図４】本発明の他の空気調和機を示す簡略説明図である。（実施例２）
【図５】本発明の別の空気調和機を示す簡略説明図である。（実施例３）
【図６】本発明のさらに別の空気調和機を示す簡略説明図である。（実施例４）
【発明を実施するための形態】
【実施例１】
【００１１】
図１〜図３は本発明の空気調和装置を示している。この空気調和装置は、外気、還気その他の空調用空気を被空調空間Ｓの空調に適した空気状態に調整して被空調空間Ｓに供給する空調機１と、空調機１の運転を制御する空調機制御装置２と、水、水溶液その他の熱交換媒体を溜める蓄熱槽３と、熱交換媒体の温度調整をすると共に熱交換媒体を空調機の冷房運転に適した温度域と空調機の暖房運転に適した温度域とに切換える熱源機４と、熱交換媒体を熱源機４と空調機１との間で循環させる循環機器５と、を備えている。
【００１２】
空調機１は、屋外と、建物の室内やホールなどの被空調空間Ｓと、に図示省略のダクトで連結する。屋外の外気（ＯＡ）と、被空調空間Ｓの還気（ＲＡ）と、は空調用空気として空調機１に導入し、空調機１から給気（ＳＡ）を空調用空気として被空調空間Ｓへ供給する。各図において実線の太い矢印は気流方向を示す。
【００１３】
循環機器５は、熱交換媒体を空調機１と蓄熱槽３に対して循環させるように構成した循環管路６と、熱交換媒体を送るポンプ７と、を備えている。たとえば、熱源機４は夜間運転して蓄熱槽３に熱交換媒体を溜めて、空調機１の運転に使用する。
【００１４】
空調機１は、空調用空気の外気が通る外気路８と、空調用空気の還気が通る還気路９と、空調用空気の外気に熱交換媒体の熱を授受させる外気側熱交換器１０と、空調用空気の還気に熱交換媒体の熱を授受させる還気側熱交換器１１と、外気路８の外気を水の気化蒸発で加湿する外気側気化式加湿器１２と、還気路９の還気を水の気化蒸発で加湿する還気側気化式加湿器１３と、第１管路１４と、第２管路１５と、第１流量調整弁１６と、第２流量調整弁１７と、送風機１８と、外気路８の外気風量と還気路９の還気風量を調整する風量調整装置１９と、ケーシング２０と、を備えている。
【００１５】
風量調整装置１９は外気ダンパ２１と還気ダンパ２２を備えている。図例では、外気路８、還気路９、外気側熱交換器１０、還気側熱交換器１１、外気側気化式加湿器１２、還気側気化式加湿器１３及び送風機１８をケーシング２０内に設けているが、空調機制御装置２、第１管路１４、第２管路１５、第１流量調整弁１６、第２流量調整弁１７及び風量調整装置１９もケーシング２０内に設けてもよい。
【００１６】
外気側熱交換器１０は、熱交換媒体の流通で空調用空気の外気を冷却又は加熱する第１処理を行う。還気側熱交換器１１は、熱交換媒体の流通で空調用空気の還気を冷却又は加熱する第２処理を行う。第１管路１４は、熱交換媒体を外気側熱交換器１０に流通させてから還気側熱交換器１１に連続して流通させるように配管を設けて構成する。第２管路１５は、第１管路１４から分岐して第１処理後の熱交換媒体を還気側熱交換器１１を通さずに迂回させるように配管を設けて構成する。
【００１７】
第１流量調整弁１６は第１管路１４の途中であって第２流量調整弁１７よりも上流側に設け、第２流量調整弁１７は還気側熱交換器１１の上流側であって第１管路１４と第２管路１５の分岐部に設ける。第１流量調整弁１６は、第１処理前の熱交換媒体の流通量を変動させて外気側熱交換器１０の第１処理の能力を調整するように比例制御の二方弁で構成する。第２流量調整弁１７は、第１管路１４と第２管路１５の熱交換媒体の流通量の配分を変動させて還気側熱交換器１１の第２処理の能力を調整するように比例制御の三方弁で構成する。この第２流量調整弁１７は、第１管路１４と第２管路１５のいずれか一方に全量流れて他方は流れないように切換える機構のみの三方弁で構成してもよい。なお、第１流量調整弁１６及び第２流量調整弁１７は二方弁や三方弁以外で構成してもよい。
【００１８】
外気側気化式加湿器１２は外気側熱交換器１０の風下に設け、還気側気化式加湿器１３は還気側熱交換器１１の風下に設ける。外気ダンパ２１は、第１処理を行う空調用空気の外気風量を増減調整する。還気ダンパ２２は、第２処理を行う空調用空気の還気風量を増減調整する。空調用空気の外気は外気ダンパ２１、外気側熱交換器１０及び外気側気化式加湿器１２を通り、空調用空気の還気は還気ダンパ２２、還気側熱交換器１１及び還気側気化式加湿１３を通り、外気と還気の混合空気が送風機１８で被空調空間Ｓへ供給される。
【００１９】
図３に示すように、外気側熱交換器１０は、公知のプレートフィンコイルと同様に伝熱板２５の群に伝熱管２６の群を挿着して構成する。伝熱管２６の内部に冷水又は温水の熱交換媒体を流し、伝熱管２６及び伝熱板２５に空調用空気を接触させることで、空調用空気と熱交換媒体を熱交換して空調用空気を冷却又は加熱する。還気側熱交換器１１も外気側熱交換器１０と同様に構成する。
【００２０】
空調機制御装置２は、被空調空間Ｓの空調負荷の変動に応じて第１流量調整弁１６、第２流量調整弁１７、外気側気化式加湿器１２、還気側気化式加湿器１３、外気ダンパ２１、還気ダンパ２２及び送風機１８の運転を制御して、空調用空気を被空調空間Ｓの空調に適した空気状態（温度及び湿度）に調整する。
【００２１】
空調機制御装置２は、空調用空気の温度及び湿度を検出する空気状態検出部２７と、設定部２８と、第１空調能力制御部２９と、空調能力補償部３０と、第１気化冷却部３１と、外気冷房制御部３２と、を備えている。空気状態検出部２７は、外気路８の外気の温度及び湿度を検出する外気センサー３３と、還気路９の還気の温度及び湿度を検出する還気センサー３４と、外気と還気の混合空気である被空調空間Ｓへの給気の温度及び湿度を検出する給気センサー３５と、を備えている。設定部２８は、被空調空間Ｓの空調目標の設定温度及び設定湿度を設定する。空調機制御装置２はマイクロプロセッサ、各種センサー、その他の制御機器で構成する。
【００２２】
第１空調能力制御部２９は、第１流量調整弁１６及び第２流量調整弁１７を稼働させて熱交換媒体を外気側熱交換器１０及び還気側熱交換器１１の両方に流通させながら流通量を変動させる制御と、第１流量調整弁１６及び第２流量調整弁１７を稼働させて熱交換媒体を外気側熱交換器１０のみに流通させながら流通量を変動させる制御と、を被空調空間Ｓの空調負荷の変動に応じて切換える。例えば、外気側熱交換器１０の第１処理のみ行っても被空調空間Ｓを冷房又は暖房する能力が不足する場合は、還気側熱交換器１１の第２処理を併用して能力不足を補うことができる。
【００２３】
このように被空調空間Ｓの空調負荷の変動に応じて、空調用空気を空調に適した空気状態に精度良く細かく調整できる。例えば、空調負荷が減ってくれば、２つの流量調整弁１６、１７で熱交換媒体の流通量を空調負荷の減少量に応じて少なくする。さらに空調負荷が減ってくれば、第２流量調整弁１７で還気側熱交換器１１の熱交換媒体をバイパスさせ、第１流量調整弁１６で外気側熱交換器１０のみに熱交換媒体を流通させる。
【００２４】
空調能力補償部３０は、外気側熱交換器１０の第１処理に要するエンタルピーと還気側熱交換器１１の第２処理に要するエンタルピーとを比較して、前記エンタルピーが大きい空調用空気の風量を少なくし、前記エンタルピーが小さい空調用空気の風量が多くなるように外気ダンパ２１と還気ダンパ２２を稼働させる。ここで、第１処理に要するエンタルピーとは、第１処理前の空調用空気を予め設定された温度まで冷却又は加熱するのに要するエンタルピーであり、第２処理に要するエンタルピーとは、第２処理前の空調用空気を予め設定された温度まで冷却又は加熱するのに要するエンタルピーである。
【００２５】
例えば、第１処理に要するエンタルピーが第２処理に要するエンタルピーよりも小さい場合、第１処理前の外気の風量を増加させ、第２処理前の還気の風量を減少させて、無駄に使用される冷却又は加熱のエネルギーを減らす。第１処理及び第２処理に要するエンタルピーは、外気センサー３３と還気センサー３４で検出された温度及び湿度から演算する。エンタルピーが大きい空調用空気の風量を減少させ、エンタルピーが小さい空調用空気の風量を増加させるので、余分な空調負荷が減り省エネを図れる。
【００２６】
第１気化冷却部３１は、空調用空気に熱交換媒体の熱を授受させずに、外気側気化式加湿器１２と還気側気化式加湿器１３の一方又は両方を稼働させて、空調用空気を気化冷却する機能を備えている。さらに、第１気化冷却部３１は、外気路８の外気と還気路９の還気との混合空気の空気状態が被空調空間Ｓの空調に適した空気状態となるように外気側気化式加湿器１２と還気側気化式加湿器１３の一方又は両方を稼働させて空調用空気を気化冷却しかつ風量調整装置１９を稼働させて外気路８の外気風量と還気路９の還気風量を調整する機能を備えている。
【００２７】
たとえば、外気センサー３３と還気センサー３４で検出された湿度と、被空調空間Ｓの設定湿度と、を比較して外気路８の外気湿度が被空調空間Ｓの設定湿度よりも低い場合は、外気側熱交換器１０の熱交換媒体の流通を停止し、外気側気化式加湿器１２を稼働させて外気湿度が設定湿度を上回らない範囲で外気を気化冷却する処理を行う。さらに、還気路９の還気温度が被空調空間Ｓの設定湿度よりも低い場合は、還気側熱交換器１１の熱交換媒体の流通を停止し、還気側気化式加湿器１３を稼働させて還気湿度が設定湿度を上回らない範囲で還気を気化冷却する処理を行う。
【００２８】
上記の処理によって、図示省略の空気線図上において、被空調空間Ｓの空調に適した空気状態（給気の目標温度及び目標湿度）のポイントを通る顕熱比の線上に、外気温度及び外気湿度のポイントと、還気温度及び還気湿度のポイントを到達させる。この外気と還気を混合した空気（被空調空間Ｓへの給気）の温度及び湿度を給気センサー３５で検出して設定温度及び設定湿度と比較し、被空調空間Ｓの空調に適した空気状態（被空調空間Ｓへの給気の目標温度及び目標湿度）となるように、風量調整装置１９を稼働させて外気風量と還気風量を増減して混合空気の温度及び湿度のポイントを顕熱比の線上に沿って移動させ、給気の目標温度及び目標湿度のポイントに到達させる。
【００２９】
外気冷房制御部３２は、空調用空気に熱交換媒体の熱を授受させずに、被空調空間Ｓの設定温度と外気路８の外気温度とを比較して外気温度が設定温度を上回らない範囲で被空調空間Ｓに外気を供給して被空調空間Ｓを外気冷房する。
【００３０】
熱交換媒体が冷水で夏期に除湿が必要な冷房運転をする場合、外気を外気側熱交換器１０で冷却除湿して、還気側熱交換器１１で除湿せずに冷却した還気と混合して、給気の目標温度及び目標湿度となるように制御する。外気の除湿が不要な冷房運転時には、外気側気化式加湿器１２と還気側気化式加湿器１３による気化冷却を併用して冷房運転することもでき、省エネとなる。
【００３１】
熱交換媒体が温水で冬期に暖房運転する場合、外気を外気側熱交換器１０で加熱し、還気を還気側熱交換器１１で加熱し、状況に応じて外気側気化式加湿器１２と還気側気化式加湿器１３で加湿し、混合することで給気の目標温度及び目標湿度となるように制御する。熱交換媒体が温水で冬期に冷房運転する場合、被空調空間Ｓの温度より低温の外気を、外気側熱交換器１０で加熱せずにそのまま又は冷房に適した温度まで外気側熱交換器１０で加熱し、還気は還気側熱交換器１１で加熱せずにそのまま、被空調空間Ｓに供給して外気冷房する。このとき状況に応じて外気側気化式加湿器１２と還気側気化式加湿器１３で加湿するが、温度の高い還気を加湿することで、気化式でも加湿量を増やすことができる。
【実施例２】
【００３２】
図４は図２の実施例において、外気側気化式加湿器１２を省略し、外気路８と還気路９の空調用空気のうちで少なくとも外気を蒸気で加湿する蒸気加湿器４０を、備えてたものである。さらに、空調機制御装置２が、第１気化冷却部３１に替えて、空調用空気に熱交換媒体の熱を授受させずに蒸気加湿器４０を稼働させて空調用空気を加熱する加湿暖房部４１と、空調用空気に熱交換媒体の熱を授受させずに還気側気化式加湿器１３を稼働させて還気を気化冷却する第２気化冷却部４２と、を備えたものである。図例では、蒸気加湿器４０は外気側熱交換器１０の風下のみに設けているが、還気側熱交換器１１の風下にも設けてもよい。
【００３３】
第２気化冷却部４２は、外気路８の外気と還気路９の還気との混合空気の空気状態が被空調空間Ｓの空調に適した空気状態となるように還気側気化式加湿器１３を稼働させて還気を気化冷却しかつ風量調整装置１９を稼働させて外気路８の外気風量と還気路９の還気風量を調整する機能を備えている。
【００３４】
たとえば、還気センサー３４で検出された還気湿度と、被空調空間Ｓの設定湿度と、を比較して還気路９の還気温度が被空調空間Ｓの設定湿度よりも低い場合は、還気側熱交換器１１の熱交換媒体の流通を停止し、還気側気化式加湿器１３を稼働させて還気湿度が設定湿度を上回らない範囲で還気を気化冷却する処理を行う。
【００３５】
上記の処理によって、図示省略の空気線図上において、被空調空間Ｓの空調に適した空気状態（給気の目標温度及び目標湿度）のポイントを通る顕熱比の線上に、外気温度及び外気湿度のポイントと、還気温度及び還気湿度のポイントを到達させる。この外気と還気を混合した空気（被空調空間Ｓへの給気）の温度及び湿度を給気センサー３５で検出して設定温度及び設定湿度と比較し、被空調空間Ｓの空調に適した空気状態（被空調空間Ｓへの給気の目標温度及び目標湿度）となるように、風量調整装置１９を稼働させて外気風量と還気風量を増減して混合空気の温度及び湿度のポイントを顕熱比の線上に沿って移動させ、給気の目標温度及び目標湿度のポイントに到達させる。
【００３６】
また、加湿暖房部４１は、たとえば、外気センサー３３で検出された外気湿度と、被空調空間Ｓの設定湿度と、を比較して外気路８の外気湿度が被空調空間Ｓの設定湿度よりも低い場合は、外気側熱交換器１０の熱交換媒体の流通を停止し、蒸気加湿器４０を稼働させて外気湿度が設定湿度を上回らない範囲で外気を加熱する処理を行う。また、被空調空間Ｓに加湿が必要な場合、空調用空気に対して、先ずエネルギー消費の少ない還気側気化式加湿器１３で加湿し、還気側気化式加湿器１３で加湿不足となる場合には、その不足分のみを蒸気加湿器４０で最低限加湿する機能を備えている。これにより加湿精度向上と消費エネルギー削減の両立を図れる。その他の構成や運転例は図１の実施例と同様であるので説明を省略する。
【実施例３】
【００３７】
図２と図４は床設置の空調機１（１ａ）を例示したが、図１と図５のような天井設置の空調機１（１ｂ）としてもよい。図５は図２の実施例において、外気ダンパ２１、還気ダンパ２２及び送風機１８を省略し、風量調整装置１９として外気路８に外気側送風機４５を設けると共に還気路９に還気側送風機４６を設けたものである。外気側送風機４５と還気側送風機４６は、回転数の増減制御により外気路８の外気風量と還気路９の還気風量を調整できる機能を備えたもので構成する。その他の構成や運転例は図２の実施例と同様であるので説明を省略する。
【実施例４】
【００３８】
図６は、図１と図２の実施例において、蓄熱槽３、熱源機４、循環機器５、第１管路１４、第２管路１５、第１流量調整弁１６及び第２流量調整弁１７に替えて、熱交換媒体を冷媒とするヒートポンプを備えた空調機１（１ｃ）としたものである。外気側熱交換器１０と還気側熱交換器１１は、熱源側熱交換器５０、圧縮機５１その他の機器でヒートポンプを構成する。この圧縮機５１の稼働によって外気側熱交換器１０と還気側熱交換器１１を介して空調用空気に冷媒の熱を授受させる。
【００３９】
空調機制御装置２は、第１空調能力制御部２９に替えて、圧縮機５１の回転数の増減制御により外気と還気を空調用空気を空調に適した空気状態に調整する第２空調能力制御部５２を、備える。その他の構成や運転例は図２の実施例と同様であるので説明を省略する。図例では、室外機側と室内機側に分かれるセパレートタイプで構成しているが、室外機側と室内機側をケーシング２０内に設けて熱源側熱交換器５０に熱交用の空気をダクトで送るように構成してもよい。
【００４０】
なお、本発明は上述の実施例に限定されない。図示省略するが、図６の実施例において、外気側気化式加湿器１２に替えて、外気路８と還気路９の空調用空気のうちで少なくとも外気を蒸気で加湿する蒸気加湿器を、備えると共に、空調機制御装置２が、第１気化冷却部３１に替えて、蒸気加湿器を稼働させて空調用空気を加熱する加湿暖房部と、還気側気化式加湿器１３を稼働させて空調用空気を気化冷却する第２気化冷却部と、を備えたものとしてもよい。
【符号の説明】
【００４１】
１  空調機
２  空調機制御装置
３  蓄熱槽
４  熱源機
５  循環機器
８  外気路
９  還気路
１２  外気側気化式加湿器
１３  還気側気化式加湿器
１９  風量調整装置
３１  第１気化冷却部
４０  蒸気加湿器
４１  加湿暖房部
４２  第２気化冷却部
Ｓ  被空調空間
【図１】
2019132563.tif 000003
【図２】
2019132563.tif 000004
【図３】
2019132563.tif 000005
【図４】
2019132563.tif 000006
【図５】
2019132563.tif 000007
【図６】
2019132563.tif 000008
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
外気と還気を混合させて被空調空間（Ｓ）に給気する空調機（１）と、前記空調機（１）の運転を制御する空調機制御装置（２）と、を備え、
前記空調機（１）が、前記外気が通る外気路（８）と、前記還気が通る還気路（９）と、前記外気路（８）の前記外気に熱交換媒体の熱を授受させる外気側熱交換器（１０）と、前記還気路（９）の前記還気に前記熱交換媒体の熱を授受させる還気側熱交換器（１１）と、前記外気路（８）の前記外気を水の気化蒸発で加湿する外気側気化式加湿器（１２）と、前記還気路（９）の前記還気を水の気化蒸発で加湿する還気側気化式加湿器（１３）と、前記外気路（８）の外気風量と前記還気路（９）の還気風量を調整する風量調整装置（１９）と、を備え、
前記空調機制御装置（２）が、前記外気及び前記還気に前記熱交換媒体の熱を授受させずに前記外気側気化式加湿器（１２）と前記還気側気化式加湿器（１３）の一方又は両方を稼働させて前記給気の目標温度及び目標湿度のポイントを通る顕熱比の線上に外気温度及び外気湿度のポイントと還気温度及び還気湿度のポイントを到達させると共に前記風量調整装置（１９）にて前記外気風量と前記還気風量を増減させて前記給気の温度及び湿度のポイントを前記顕熱比の線上に沿って移動させて前記給気の前記目標温度及び前記目標湿度の前記ポイントに到達させる第１気化冷却部（３１）を、備えたことを特徴とする空気調和装置。
【請求項２】
請求項１記載の空気調和装置において、前記外気側気化式加湿器（１２）に代えて前記外気を蒸気で加湿する蒸気加湿器（４０）を、備え、
前記空調機制御装置（２）が、前記外気に前記熱交換媒体の熱を授受させずに前記蒸気加湿器（４０）を稼働させて前記外気を加熱する加湿暖房部（４１）と、前記還気に前記熱交換媒体の熱を授受させずに前記還気側気化式加湿器（１３）を稼働させて前記還気を気化冷却する第２気化冷却部（４２）と、を備えた請求項１に記載の空気調和装置。
【請求項３】
水、水溶液その他の熱交換媒体を溜める蓄熱槽（３）と、前記熱交換媒体の温度調整をすると共に前記熱交換媒体を空調機の冷房運転に適した温度域と前記空調機の暖房運転に適した温度域とに切換える熱源機（４）と、前記熱交換媒体を前記熱源機（４）と前記空調機（１）との間で循環させる循環機器（５）と、を備えた請求項１又は２に記載の空気調和装置。
【手続補正２】
【補正対象書類名】明細書
【補正対象項目名】０００６
【補正方法】変更
【補正の内容】
【０００６】
請求項１の発明によれば、空調機を暖房運転する中間期や冬期でも、日射や発熱量の大きな機器の使用により空調機の冷房運転が必要な場合に、空調機で、空調用空気に熱交換媒体の熱を授受させずに、外気側気化式加湿器と還気側気化式加湿器の一方又は両方を稼働させて空調用空気を気化冷却できるので、冷房能力が大きく省エネ性に優れる。特に、冬期などは外気よりも温度が高い還気で還気側気化式加湿器の水を気化蒸発させるので、気化冷却が促進され冷房能力と加湿能力が向上する。空調機で、空調用空気に熱交換媒体の熱を授受させずに、外気と還気の一方又は両方を気化冷却して混合風量を調整するだけで、外気路の外気と還気路の還気との混合空気の空気状態を、被空調空間の空調に適した空気状態、即ち混合空気の温度と湿度の両方を制御でき快適性に優れる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２の発明によれば、空調機を暖房運転する中間期や冬期でも、日射や発熱量の大きな機器の使用により空調機の冷房運転が必要な場合に、空調機で、空調用空気に熱交換媒体の熱を授受させずに、還気側気化式加湿器を稼働させて空調用空気を気化冷却できるので、冷房能力が大きくて省エネ性に優れる。特に、冬期などは外気よりも温度が高い還気で還気側気化式加湿器の水を気化蒸発させるので、気化冷却が促進され冷房能力と加湿能力が向上する。
中間期や低負荷時に、空調機で、空調用空気に熱交換媒体の熱を授受させずに、空調用空気を蒸気加湿器で加熱する暖房運転と、空調用空気を気化式加湿器で気化冷却する冷房運転と、を自由に選択して切換でき、省エネルギーと快適性の向上を図れる。
【手続補正５】
【補正対象書類名】明細書
【補正対象項目名】０００９
【補正方法】変更
【補正の内容】
【０００９】
請求項３の発明によれば、空調機を暖房運転する中間期や冬期でも、気化冷却による冷房運転を選択して切換えできるので、蓄熱槽の熱交換媒体を冷房に適した温度域と暖房に適した温度域とに頻繁に切換える必要がない。そのため、エネルギーロスが少なく省エネルギーとなる。